(57)【要約】【課題】同時選択駆動法でｎライン反転駆動により液晶パネルを駆動する場合に、バイアス電位のずれがあっても画質の劣化を抑えることができる液晶駆動方法等を提供する。【解決手段】Ｓ（Ｓは２以上の自然数）ライン同時選択駆動法により液晶パネルを駆動する液晶駆動方法は、連続するｍ（ｍは２以上の自然数）フィールド期間の第１のｍフィールド期間群を、ｎ（ｎは自然数）ライン毎に極性反転させるｎライン反転駆動を行う第１の駆動ステップと、前記第１のｍフィールド期間群に続く連続するｍフィールド期間の第２のｍフィールド期間群を、直前のｍフィールド期間とは反対の極性となるように前記ｎライン反転駆動を行う第２の駆動ステップと、前記第２のｍフィールド期間群に続く連続するｍフィールド期間の第３のｍフィールド期間群を、前記第２のｍフィールド期間群から継続して前記ｎライン反転駆動を行う第３の駆動ステップとを含む。【選択図】図７
2012163897.tif 000002
【特許請求の範囲】
【請求項１】
Ｓ（Ｓは２以上の自然数）ライン同時選択駆動法により液晶パネルを駆動する液晶駆動方法であって、
連続するｍ（ｍは２以上の自然数）フィールド期間の第１のｍフィールド期間群を、ｎ（ｎは自然数）ライン毎に極性反転させるｎライン反転駆動を行う第１の駆動ステップと、
前記第１のｍフィールド期間群に続く連続するｍフィールド期間の第２のｍフィールド期間群を、直前のｍフィールド期間とは反対の極性となるように前記ｎライン反転駆動を行う第２の駆動ステップと、
前記第２のｍフィールド期間群に続く連続するｍフィールド期間の第３のｍフィールド期間群を、前記第２のｍフィールド期間群から継続して前記ｎライン反転駆動を行う第３の駆動ステップとを含むことを特徴とする液晶駆動方法。
【請求項２】
請求項１において、
前記第３の駆動ステップの後、前記第３のｍフィールド期間群を前記第１のｍフィールド期間群として、前記第２の駆動ステップに戻ることを特徴とする液晶駆動方法。
【請求項３】
請求項１又は２において、
前記第１のｍフィールド期間群、前記第２のｍフィールド期間群、及び前記第３のｍフィールド期間群の各々を構成するフィールド期間数であるｍが可変であることを特徴とする液晶駆動方法。
【請求項４】
請求項１乃至３のいずれかにおいて、
ｎライン反転駆動において極性反転させるライン数であるｎが可変であることを特徴とする液晶駆動方法。
【請求項５】
液晶パネルを駆動する液晶駆動装置であって、
Ｓ（Ｓは２以上の自然数）ライン同時選択駆動法により前記液晶パネルを駆動する駆動部と、
前記駆動部により前記液晶パネルに供給される駆動信号の極性反転制御を行う極性反転制御部とを含み、
前記駆動部は、
連続するｍ（ｍは２以上の自然数）フィールド期間の第１のｍフィールド期間群について、ｎ（ｎは自然数）ライン毎に極性反転させるｎライン反転駆動を行い、前記第１のｍフィールド期間群に続く連続するｍフィールド期間の第２のｍフィールド期間群について、直前のｍフィールド期間とは反対の極性となるように前記ｎライン反転駆動を行い、前記第２のｍフィールド期間群に続く連続するｍフィールド期間の第３のｍフィールド期間群について、前記第２のｍフィールド期間群から継続して前記ｎライン反転駆動を行うことを特徴とする液晶駆動装置。
【請求項６】
請求項５において、
前記極性反転制御部は、
極性反転させるフィールド期間数であるｍに対応した設定情報が設定されるｍフィールド反転数レジスターを含み、
前記ｍフィールド反転数レジスターに設定された設定情報に基づいて、前記駆動信号の極性反転制御を行うことを特徴とする液晶駆動装置。
【請求項７】
請求項５又は６において、
前記極性反転制御部は、
極性反転させるライン数であるｎに対応した設定情報が設定されるｎライン反転数レジスターを含み、
前記ｎライン反転数レジスターに設定された設定情報に基づいて、前記駆動信号の極性反転制御を行うことを特徴とする液晶駆動装置。
【請求項８】
請求項７において、
前記極性反転制御部は、
ｎライン反転駆動により極性を反転させるライン数をカウントするｎライン反転数カウンターと、
直前のｍフィールド期間群のｎライン反転駆動を開始するときの極性をラッチする極性ラッチと、
直前のｍフィールド期間群のｎライン反転駆動を開始するときの前記ｎライン反転数カウンターのカウント値をラッチするｎライン反転数ラッチとを含み、
前記駆動部は、
前記極性ラッチにラッチされた極性及び前記ｎライン反転数ラッチにラッチされたカウント値に基づいて、後続のｍフィールド期間群のｎライン反転駆動を行うことを特徴とする液晶駆動装置。
【請求項９】
請求項５乃至８のいずれか記載の液晶駆動装置と、
前記液晶駆動装置によって駆動される液晶パネルとを含むことを特徴とする液晶装置。
【請求項１０】
請求項５乃至８のいずれか記載の液晶駆動装置を含むことを特徴とする電子機器。
【発明の詳細な説明】
【技術分野】
【０００１】
本発明は、液晶駆動方法、液晶駆動装置、液晶装置、及び電子機器等に関し、特に複数ラインを同時選択する同時選択駆動法により液晶パネルを駆動する液晶駆動方法等に関する。
【背景技術】
【０００２】
従来、この種の液晶パネルは、複数のコモン電極と、複数のコモン電極に交差するように設けられた複数のセグメント電極とを備えており、各コモン電極と各セグメント電極との交差位置に対応して画素が形成される。液晶パネルを駆動する液晶駆動装置は、液晶パネルの複数のコモン電極及び複数のセグメント電極を所定の液晶駆動方法に従って駆動することで、液晶パネルに画像を表示する。液晶パネルを駆動する場合、画素に同一極性の電圧を印加し続けると焼き付けが発生するため、一般的に、液晶駆動装置は、画素に印加される電圧の極性を周期的に反転して交流化する極性反転駆動を行う。
【０００３】
この極性反転駆動として１フレーム毎に極性反転するフレーム反転駆動が知られている。ところが、液晶パネルのセグメント電極に応じて出力周波数が異なってクロストーク等の原因となることがあり、より短い時間間隔で極性反転することを目的として、ｎライン毎に極性反転を行うｎライン反転駆動が行われる場合がある。
【０００４】
このような極性反転駆動に関する技術については、例えば特許文献１に開示されている。この特許文献１には、４ライン同時選択駆動法において、２４０ラインを５水平走査期間毎に極性反転駆動する場合には、仮想ラインを加えて２４４ラインとすることで極性反転駆動の効果が得られることが開示されている（段落００６２〜００６４参照）。
【先行技術文献】
【特許文献】
【０００５】
【特許文献１】特開平８−１６０９１９号公報
【発明の概要】
【発明が解決しようとする課題】
【０００６】
いわゆる線順次駆動では、デューティーｄｔと極性反転するライン数との関係は、表示ライン数をＬ、デューティーｄｔ＝１／Ｌとすると、Ｌが奇数であり、Ｌとの公約数がないように極性反転ライン数は素数であることが望ましい。同時選択駆動法についても、例えば特許文献１に、サブグループ数が奇数であることが望ましいことが開示されている。
【０００７】
しかしながら、４ライン同時選択駆動法では、１フレーム期間が４フィールド期間に分割され、フィールド期間毎に走査されるため、１フレーム期間で４回の走査が行われる。従って、特許文献１に開示されているように４ライン同時選択駆動法でｎライン反転駆動を行う場合、１フレーム期間におけるサブグループ数が偶数になってしまう。そのため、バイアス電位のずれがあると実効電圧の差が生じ、濃淡の縞模様が見えてしまい、画質が劣化する場合があるという問題がある。
【０００８】
本発明は、以上のような技術的課題に鑑みてなされたものである。本発明の幾つかの態様によれば、複数ラインを同時選択する同時選択駆動法でｎライン反転駆動により液晶パネルを駆動する場合にバイアス電位のずれがあっても画質の劣化を抑える液晶駆動方法、液晶駆動装置、液晶装置、及び電子機器等を提供することができる。
【課題を解決するための手段】
【０００９】
（１）本発明の第１の態様は、Ｓ（Ｓは２以上の自然数）ライン同時選択駆動法により液晶パネルを駆動する液晶駆動方法が、連続するｍ（ｍは２以上の自然数）フィールド期間の第１のｍフィールド期間群を、ｎ（ｎは自然数）ライン毎に極性反転させるｎライン反転駆動を行う第１の駆動ステップと、前記第１のｍフィールド期間群に続く連続するｍフィールド期間の第２のｍフィールド期間群を、直前のｍフィールド期間とは反対の極性となるように前記ｎライン反転駆動を行う第２の駆動ステップと、前記第２のｍフィールド期間群に続く連続するｍフィールド期間の第３のｍフィールド期間群を、前記第２のｍフィールド期間群から継続して前記ｎライン反転駆動を行う第３の駆動ステップとを含む。
【００１０】
（２）本発明の第２の態様に係る液晶駆動方法は、第１の態様において、前記第３の駆動ステップの後、前記第３のｍフィールド期間群を前記第１のｍフィールド期間群として、前記第２の駆動ステップに戻る。
【００１１】
上記のいずれかの態様によれば、同時選択駆動法でｎライン反転駆動を行う場合に、極性反転周期の間で、液晶パネルのコモン電極に供給される選択パルスの種類や数を変更することができるようになる。これにより、バイアス電位にばらつきがあっても、コモン電極に応じて実効電圧の差が生じないようすることができるようになる。この結果、液晶パネルに濃淡の縞模様が見えることがなくなり、表示品質を向上させることができるようになる。
【００１２】
（３）本発明の第３の態様に係る液晶駆動方法では、第１の態様又は第２の態様において、前記第１のｍフィールド期間群、前記第２のｍフィールド期間群、及び前記第３のｍフィールド期間群の各々を構成するフィールド期間数であるｍが可変である。
【００１３】
本態様によれば、液晶パネルの表示ライン数等に起因する縞模様の発生条件に応じて、極性反転させるフィールド期間数を変更できるようにしたので、液晶パネルの表示ライン数等にかかわらず表示品質を向上させることができるようになる。特に、縞模様の変動によりちらつきとして認識される場合であっても、極性反転周期を短くすることで、ちらつきの認識を抑えることができるようになる。
【００１４】
（４）本発明の第４の態様に係る液晶駆動方法では、第１の態様乃至第３の態様のいずれかにおいて、ｎライン反転駆動において極性反転させるライン数であるｎが可変である。
【００１５】
本態様によれば、液晶パネルの表示ライン数等に起因する縞模様の発生条件に応じて、極性反転させるライン数を変更できるようにしたので、液晶パネルの表示ライン数等にかかわらず表示品質を向上させることができるようになる。
【００１６】
（５）本発明の第５の態様は、液晶パネルを駆動する液晶駆動装置が、Ｓ（Ｓは２以上の自然数）ライン同時選択駆動法により前記液晶パネルを駆動する駆動部と、前記駆動部により前記液晶パネルに供給される駆動信号の極性反転制御を行う極性反転制御部とを含み、前記駆動部は、連続するｍ（ｍは２以上の自然数）フィールド期間の第１のｍフィールド期間群について、ｎ（ｎは自然数）ライン毎に極性反転させるｎライン反転駆動を行い、前記第１のｍフィールド期間群に続く連続するｍフィールド期間の第２のｍフィールド期間群について、直前のｍフィールド期間とは反対の極性となるように前記ｎライン反転駆動を行い、前記第２のｍフィールド期間群に続く連続するｍフィールド期間の第３のｍフィールド期間群について、前記第２のｍフィールド期間群から継続して前記ｎライン反転駆動を行う。
【００１７】
本態様によれば、同時選択駆動法でｎライン反転駆動を行う場合に、極性反転周期の間で、液晶パネルのコモン電極に供給される選択パルスの種類や数を変更することができるようになる。これにより、バイアス電位にばらつきがあっても、コモン電極に応じて実効電圧の差が生じないようすることができるようになる。この結果、液晶パネルに濃淡の縞模様が見えることがなくなり、表示品質を向上させる液晶駆動装置を提供することができるようになる。
【００１８】
（６）本発明の第６の態様に係る液晶駆動装置では、第５の態様において、前記極性反転制御部は、極性反転させるフィールド期間数であるｍに対応した設定情報が設定されるｍフィールド反転数レジスターを含み、前記ｍフィールド反転数レジスターに設定された設定情報に基づいて、前記駆動信号の極性反転制御を行う。
【００１９】
本態様によれば、液晶パネルの表示ライン数等に起因する縞模様の発生条件に応じて、極性反転させるフィールド期間数を変更できるようにしたので、液晶パネルの表示ライン数等にかかわらず表示品質を向上させることができるようになる。特に、縞模様の変動によりちらつきとして認識される場合であっても、極性反転周期を短くすることで、ちらつきの認識を抑えることができるようになる。
【００２０】
（７）本発明の第７の態様に係る液晶駆動装置では、第５の態様又は第６の態様において、前記極性反転制御部は、極性反転させるライン数であるｎに対応した設定情報が設定されるｎライン反転数レジスターを含み、前記ｎライン反転数レジスターに設定された設定情報に基づいて、前記駆動信号の極性反転制御を行う。
【００２１】
本態様によれば、液晶パネルの表示ライン数等に起因する縞模様の発生条件に応じて、極性反転させるライン数を変更できるようにしたので、液晶パネルの表示ライン数等にかかわらず表示品質を向上させることができるようになる。
【００２２】
（８）本発明の第８の態様に係る液晶駆動装置では、第７の態様において、前記極性反転制御部は、ｎライン反転駆動により極性を反転させるライン数をカウントするｎライン反転数カウンターと、直前のｍフィールド期間群のｎライン反転駆動を開始するときの極性をラッチする極性ラッチと、直前のｍフィールド期間群のｎライン反転駆動を開始するときの前記ｎライン反転数カウンターのカウント値をラッチするｎライン反転数ラッチとを含み、前記駆動部は、前記極性ラッチにラッチされた極性及び前記ｎライン反転数ラッチにラッチされたカウント値に基づいて、後続のｍフィールド期間群のｎライン反転駆動を行う。
【００２３】
本態様によれば、上記の効果を得る液晶駆動装置を簡素な構成で実現することができるようになる。
【００２４】
（９）本発明の第９の態様は、液晶装置が、第５の態様乃至第８の態様のいずれか記載の液晶駆動装置と、前記液晶駆動装置によって駆動される液晶パネルとを含む。
【００２５】
本態様によれば、複数ラインを同時選択する同時選択駆動法でｎライン反転駆動により液晶パネルを駆動する場合にバイアス電位のずれがあっても画質の劣化を抑える液晶装置を提供することができるようになる。
【００２６】
（１０）本発明の第１０の態様は、電子機器が、第５の態様乃至第８の態様のいずれか記載の液晶駆動装置を含む。
【００２７】
本態様によれば、複数ラインを同時選択する同時選択駆動法でｎライン反転駆動により液晶パネルを駆動する場合にバイアス電位のずれがあっても画質の劣化を抑える液晶駆動装置が適用された電子機器を提供することができるようになる。
【図面の簡単な説明】
【００２８】
【図１】本発明の一実施形態に係る液晶装置の構成例のブロック図。
【図２】図２（Ａ）〜図２（Ｄ）はＭＬＳ駆動法の原理の説明図。
【図３】４ライン同時選択のＭＬＳ駆動法により液晶パネルを駆動する場合の７レベルの電圧の関係を示す図。
【図４】４ライン同時選択のＭＬＳ駆動法における液晶パネルのコモン電極の選択電圧の説明図。
【図５】ｎライン反転駆動がディセーブルに設定されたときの同時選択されるコモン電極ＣＯＭ０〜ＣＯＭ３の選択電圧を示す図。
【図６】ｎライン反転駆動がイネーブルに設定されたときの同時選択されるコモン電極ＣＯＭ０〜ＣＯＭ３の選択電圧を示す図。
【図７】本実施形態における液晶駆動装置による液晶駆動方法のフロー図。
【図８】本実施形態における液晶駆動方法の説明図。
【図９】本実施形態における液晶駆動方法の説明図。
【図１０】本実施形態における液晶駆動方法の第１の説明図。
【図１１】本実施形態における液晶駆動方法の第１の説明図。
【図１２】本実施形態における液晶駆動方法の第２の説明図。
【図１３】本実施形態における液晶駆動装置の構成例のブロック図。
【図１４】本実施形態におけるコモンアドレス及びラインアドレスの説明図。
【図１５】図１３の極性反転制御回路の構成例のブロック図。
【図１６】ｍフィールドカウンターの動作例のフロー図。
【図１７】反転フィールドレジスターの動作例のフロー図。
【図１８】反転フィールドシフトレジスターの動作例のフロー図。
【図１９】ｎライン反転数カウンターの動作例のフロー図。
【図２０】ｎライン反転数ラッチの動作例のフロー図。
【図２１】極性レジスターの動作例のフロー図。
【図２２】極性ラッチの動作例のフロー図。
【図２３】極性反転制御回路の動作例のタイミング図。
【図２４】本実施形態における液晶駆動装置の駆動タイミングの一例を示す図。
【図２５】図２５（Ａ）、図２５（Ｂ）は本実施形態が適用された電子機器の構成を示す斜視図。
【発明を実施するための形態】
【００２９】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００３０】
〔液晶表示装置〕
図１に、本発明の一実施形態に係る液晶装置の構成例のブロック図を示す。図１は、液晶装置が液晶駆動装置を備える構成例を表すが、液晶駆動装置が液晶装置の外部に備えられていてもよい。
【００３１】
電気光学装置としての液晶装置１０は、液晶パネル（広義には、表示パネル、電気光学パネル）２０と、ホストプロセッサー３０と、電源回路４０とを備えている。
【００３２】
液晶パネル２０は、パッシブ型の液晶表示パネルであり、一対の透明なガラス基板の間に、透明電極で形成され互いに交差するように配置された複数のコモン電極、複数のセグメント電極、配向膜及び液晶等を封入して形成される。液晶パネル２０は、画素形成領域２２を有し、画素形成領域２２には、第１の方向に配設されたコモン電極と、第１の方向と交差する第２の方向に配設されたセグメント電極との交差位置に対応して画素が形成される。図１では、複数のコモン電極ＣＯＭ０〜ＣＯＭＱ（Ｑは自然数）のコモン電極ＣＯＭｊ（０≦ｊ≦Ｑ、ｊは整数）と複数のセグメント電極ＳＥＧ０〜ＳＥＧＲ（Ｒは自然数）のセグメント電極ＳＥＧｋ（０≦ｋ≦Ｒ、ｋは整数）とを図示している。コモン電極ＣＯＭｊ及びセグメント電極ＳＥＧｋの交差位置に対応して画素Ｐｊｋが形成される。この液晶パネル２０を構成するガラス基板には、液晶駆動装置１００がＣＯＧ（Chip On Glass）実装される。
【００３３】
液晶駆動装置１００は、コモン電極に所与の選択電圧を供給するための複数のコモン電極出力端子と、セグメント電極に画像データに対応した液晶駆動電圧を供給するための複数のセグメント電極出力端子とを有する。複数のコモン電極出力端子の各々は、対応するコモン電極に電気的に接続され、複数のセグメント電極出力端子の各々は、対応するセグメント電極に電気的に接続される。液晶駆動装置１００は、液晶パネル２０の画素形成領域２２に形成されたコモン電極ＣＯＭ０〜ＣＯＭＱ及びセグメント電極ＳＥＧ０〜ＳＥＧＲをＭＬＳ（Multi Line Selection）駆動法（同時選択駆動法）により駆動する。即ち、液晶駆動装置１００は、複数のコモン電極を同時選択し、１画面を表示するのに必要な期間としての１フレーム期間を分割した複数のフィールド期間で、複数回に亘って駆動する。液晶駆動装置１００は、フィールド期間毎に、同時選択した複数のコモン電極を選択パターン（走査パターン）に基づいて駆動すると共に、該選択パターン及び画像データに基づく所与のＭＬＳ演算結果に対応した駆動電圧を複数のセグメント電極に印加する。
【００３４】
ホストプロセッサー３０は、内蔵するメモリー又は図示しないメモリーに記憶されたプログラムを読み込んで、該プログラムに対応した処理を実行することで、液晶駆動装置１００の駆動制御を行う。このため、ホストプロセッサー３０は、液晶駆動装置１００が内蔵する設定レジスターに設定値を設定することで、液晶駆動装置１００の動作を制御することができる。また、ホストプロセッサー３０は、液晶駆動装置１００に、液晶パネル２０に表示させる画像に対応した画像データを供給する。図１において、ホストプロセッサー３０は、液晶パネル２０を構成するガラス基板上に実装されていてもよい。
【００３５】
電源回路４０は、ホストプロセッサー３０及び液晶駆動装置１００の各々に、動作電源電圧及び液晶パネル２０の駆動電源電圧、或いはこれらの電圧を生成するための基準電圧を供給する。図１において、電源回路４０は、液晶パネル２０を構成するガラス基板上に実装されていたり、液晶駆動装置１００に内蔵されていたりしてもよい。
【００３６】
〔ＭＬＳ駆動法〕
液晶駆動装置１００によるＭＬＳ駆動法は、単純な駆動法と比較して、コモン電極が選択される期間の間隔を狭めることができ、画素の透過率の低下を抑えると共に、平均の透過率を向上させることができる。また、複数のコモン電極を同時に選択することで、コモン電極に印加する駆動電圧（選択電圧）を低くすることができる。
【００３７】
図２（Ａ）〜図２（Ｄ）に、ＭＬＳ駆動法の原理の説明図を示す。図２（Ａ）〜図２（Ｄ）の各々は、コモン電極ＣＯＭ０、ＣＯＭ１とセグメント電極ＳＥＧ０とが交差する位置の画素（ドット）についてオン又はオフする例を表す。なお、図２（Ａ）〜図２（Ｄ）では２ラインのコモン電極ＣＯＭ０、ＣＯＭ１が同時選択され、２ライン同時選択のＭＬＳ駆動法の例を表す。
【００３８】
図２（Ａ）〜図２（Ｄ）において、オンとなる画素（オン画素）を「−１」、オフとなる画素（オフ画素）を「＋１」と表し、このオン又はオフを示す画像データにより指定される。また、コモン電極ＣＯＭ０、ＣＯＭ１の各々を選択するための選択パターンを「＋１」、「−１」の２値で表す。更にセグメント電極ＳＥＧ０の駆動電圧は、「ＭＶ２」、「Ｖ２」、「Ｖ１」の３値である。
【００３９】
ＭＬＳ駆動法においては、セグメント電極ＳＥＧ０の駆動電圧は、画像データと同時選択されるコモン電極ＣＯＭ０、ＣＯＭ１の選択パターンとにより決まる。ここで、画像データを画像データベクトルｄ、選択パターンを行列βとすると、セグメント電極ＳＥＧ０の駆動電圧を「ＭＶ２」、「Ｖ２」、「Ｖ１」のいずれの電圧とするかは、画像データベクトルｄと行列βとの積により決定される。画像データベクトルｄは、セグメント電極ＳＥＧ０が各コモン電極と交差する位置の画素のオン又はオフを示すデータをベクトルで表現したものである。図２（Ａ）の場合にはｄ・β＝−２となり、図２（Ｂ）の場合にはｄ・β＝＋２となり、図２（Ｃ）の場合にはｄ・β＝＋２となり、図２（Ｄ）の場合にはｄ・β＝０となる。そして画像データベクトルｄと行列βとの積が「−２」のときセグメント電極ＳＥＧ０の駆動電圧として「ＭＶ２」が選択され、「＋２」のときに「Ｖ２」が選択され、「０」のときに「Ｖ１」が選択される。
【００４０】
例えば、画像データベクトルｄと行列βとの積の演算をハードウェアで行う場合には、画像データベクトルｄの各要素データと行列βの各要素データとの不一致数を判定するようにすればよい。例えば不一致数が「２」の場合には、セグメント電極ＳＥＧ０の駆動電圧として「ＭＶ２」を選択する。また不一致数が「０」の場合には、該駆動電圧として「Ｖ２」を選択する。また不一致数が「１」の場合には、該駆動電圧として「Ｖ１」を選択する。
【００４１】
２ライン同時選択のＭＬＳ駆動法では、上述のようにしてセグメント電極ＳＥＧ０の駆動電圧を決定し、１フレーム期間内で２回のフィールド期間を設けることによって、画素のオン又はオフを制御する。フィールド期間を複数回設けているため、非フィールド期間における透過率の低下が少なくなり、液晶パネル２０における平均の透過率を向上させ、液晶パネルのコントラストを向上させることができる。
【００４２】
なお、以下で説明する本実施形態では、４ラインのコモン電極を同時に選択するＭＬＳ駆動法を採用するものとする。この場合、１フレーム期間内に４回のフィールド期間を設けることができ、液晶パネル２０のコントラストをより一層向上させることができる。この４ライン同時選択のＭＬＳ駆動法では、７レベルの電圧が用いられる。
【００４３】
図３に、４ライン同時選択のＭＬＳ駆動法により液晶パネル２０を駆動する場合の７レベルの電圧の関係を示す。
【００４４】
電圧Ｖ３、ＭＶ３は、コモン電極の選択電圧である。電圧ＶＣは、コモン電極の非選択電圧であり、セグメント電極の駆動電圧である。電圧Ｖ２、Ｖ１、ＭＶ１、ＭＶ２は、セグメント電極の駆動電圧である。そして、交差するコモン電極及びセグメント電極の電圧差に応じて、画素の透過率が変化する。
【００４５】
ここで、電圧Ｖ３とセンター電圧ＶＣとの電圧差をｖ３、電圧Ｖ２とセンター電圧ＶＣとの電圧差をｖ２、電圧Ｖ１とセンター電圧ＶＣとの電圧差をｖ１とする。このとき、センター電圧ＶＣと電圧ＭＶ３との電圧差はｖ３、センター電圧ＶＣと電圧ＭＶ２との電圧差はｖ２、センター電圧ＶＣと電圧ＭＶ１との電圧差はｖ１である。ここで、電圧Ｖ２と電圧Ｖ１との電圧差（＝電圧ＭＶ１と電圧ＭＶ２との電圧差）が、電圧Ｖ１とセンター電圧ＶＣとの電圧差（＝センター電圧ＶＣと電圧ＭＶ１との電圧差）と等しい。
【００４６】
このような７レベルの電圧のうち、電圧ＭＶ３の電位が最も低く、本実施形態では、電圧ＭＶ３として接地電圧ＶＳＳが採用される。
【００４７】
液晶駆動装置１００は、図３に示す電圧を用いて、ＭＬＳ駆動法によりコモン電極及びセグメント電極を駆動する。このとき、液晶駆動装置１００は、ｎ（ｎは１以上の整数）本のコモン電極を走査する毎に極性を反転させるｎライン極性反転制御を行うことで、液晶の劣化を防止し、画質の向上を図る。
【００４８】
図４に、４ライン同時選択のＭＬＳ駆動法における液晶パネル２０のコモン電極ＣＯＭｐ（０≦ｐ≦Ｑ、ｐは整数）〜ＣＯＭｐ＋３の選択電圧の説明図を示す。図４は、液晶駆動装置１００の内部信号である極性反転信号ＦＲにより規定される極性及びフィールド期間に応じて、コモン電極ＣＯＭｐ〜ＣＯＭｐ＋３に印加される選択電圧を表す。
【００４９】
極性反転信号ＦＲがＬレベルのとき、液晶駆動装置１００は、駆動対象の画素の印加電圧が正極性となるように、対応するコモン電極に選択電圧を供給し、且つ、対応するセグメント電極に駆動電圧を供給する。また、極性反転信号ＦＲがＨレベルのとき、液晶駆動装置１００は、駆動対象の画素の印加電圧が負極性となるように、対応するコモン電極に選択電圧を供給し、且つ、対応するセグメント電極に駆動電圧を供給する。このとき、ＭＬＳ駆動法では、同時選択されるコモン電極の各フィールド期間における走査パターンが決まる。そのため、４ライン同時選択のＭＬＳ駆動法では、コモン電極ＣＯＭｐ〜ＣＯＭｐ＋３には、フィールド期間毎に、極性に応じて、図４に示すように選択電圧Ｖ３、ＭＶ３が印加される。
【００５０】
以上のようなＭＬＳ駆動法においてｎライン反転駆動を行う場合、次のような問題がある。以下では、説明の便宜上、主に７６ライン又は１３２ラインの液晶パネル２０を駆動する例について説明する。
【００５１】
図５に、ｎライン反転駆動がディセーブルに設定されたときの同時選択されるコモン電極ＣＯＭ０〜ＣＯＭ３の選択電圧を示す。図５は、７６ラインの液晶パネルを駆動する際に、１フレーム期間のフィールド期間毎に、極性に応じてコモン電極ＣＯＭ０〜ＣＯＭ３に供給される選択電圧を表す。図５では、コモン電極ＣＯＭ０〜ＣＯＭ３を図示するが、他の同時選択されるコモン電極も同様である。
【００５２】
ｎライン反転駆動がディセーブルに設定されたとき、極性反転周期は２フレームとなる。各コモン電極には、この極性反転周期の間に電圧Ｖ３、ＭＶ３の選択パルスが供給される。ここで、選択パルスの種類に着目すると、コモン電極ＣＯＭ０〜ＣＯＭ３の各々について、電圧Ｖ３の選択パルス数が「４」、電圧ＭＶ３の選択パルス数が「４」である。
【００５３】
図６に、ｎライン反転駆動がイネーブルに設定されたときの同時選択されるコモン電極ＣＯＭ０〜ＣＯＭ３の選択電圧を示す。図６は、７６ラインの液晶パネルを駆動する際に、１フレーム期間のフィールド期間毎に、極性に応じてコモン電極ＣＯＭ０〜ＣＯＭ３に供給される選択電圧を表す。ここで、ｎが「５」であり、２０（＝５×４）ライン反転駆動を行うものとする。図６では、コモン電極ＣＯＭ０〜ＣＯＭ３を図示するが、他の同時選択されるコモン電極も同様である。
【００５４】
従って、ｎライン反転駆動がイネーブルに設定されたとき、極性反転周期は５フレームとなる。ここで、選択パルスの種類に着目すると、コモン電極ＣＯＭ０、ＣＯＭ２の各々について、電圧Ｖ３の選択パルス数が「９」、電圧ＭＶ３の選択パルス数が「１１」である。また、コモン電極ＣＯＭ２、ＣＯＭ３の各々について、電圧Ｖ３の選択パルス数が「１１」、電圧ＭＶ３の選択パルス数が「９」である。即ち、ｎライン反転駆動がイネーブルに設定されると、コモン電極によって電圧Ｖ３の選択パルス数と電圧ＭＶ３の選択パルス数とが異なることになる。そのため、バイアス電位のずれがあると、コモン電極に応じて実効電圧の差が生じ、液晶パネル２０に濃淡の縞模様が発生するという問題がある。
【００５５】
〔液晶駆動装置〕
Ｓ（Ｓは２以上の自然数）ラインを同時選択するＭＬＳ駆動法でｎライン反転駆動を行う場合、次の式（１）の条件を満たすと、極性反転周期の間に、正極性パルス数と負極正パルス数とが等しくなる。式（１）では、液晶パネルのデューティーをｄｔ、自然数をｄとする。即ち、式（１）の条件を満たさない場合、バイアス電位のずれがあると、コモン電極に応じて実効電圧の差が生じ、液晶パネルに濃淡の縞模様が発生する。
（１／ｄｔ×ｄ）／（ｎ／Ｓ）＝奇数      ・・・（１）
【００５６】
これに対して、本実施形態では、式（１）の条件を満たさない場合に、バイアス電位のずれがあっても液晶パネル２０に濃淡の縞模様を発生させることなく、画質の劣化を抑える。具体的には、（液晶パネル２０のデューティーｄｔの逆数×Ａ）／（ｎ／Ｓ）（Ａは、式が割り切れるようになる最小の自然数）が偶数のとき、極性反転周期の間に液晶パネル２０の各コモン電極に印加した正極性パルス数と負極正パルス数とを等しくする。
【００５７】
即ち、本実施形態では、極性反転周期の間で、各コモン電極に供給される各選択パルス数を変更することで、バイアス電位のずれがあったとしても、液晶パネル２０に濃淡の縞模様を発生させることなく、画質の劣化を抑える。具体的には、ＭＬＳ駆動法でｎライン反転駆動を行う場合に、設定可能なｍ（ｍは２以上の自然数）フィールド期間を走査後、次のｍフィールド期間は直前のｍフィールドの極性を反転して走査する。そして、続くｍフィールド期間はそのままｎライン反転駆動を継続し、次のｍフィールドは直前のｍフィールドの極性を反転して走査し、以降、同様に繰り返す。
【００５８】
図７に、本実施形態における液晶駆動装置１００による液晶駆動方法のフロー図を示す。
【００５９】
まず、液晶駆動装置１００には、ホストプロセッサー３０により、ｎライン反転駆動で極性反転させるライン数であるｎに対応した設定情報がｎライン反転数レジスターに設定される（ステップＳＴ１０、ｎライン反転数設定ステップ）。液晶駆動装置１００は、このｎライン反転数レジスターに設定された設定情報に対応したライン数ｎ毎に、ｎライン反転駆動を行う。即ち、極性反転させるライン数であるｎは可変に構成される。ＭＬＳ駆動法の同時選択ライン数をＳ（Ｓは２以上の自然数）、自然数をｄとすると、ｎ＝Ｓ×ｄである。
【００６０】
次に、液晶駆動装置１００には、ホストプロセッサー３０により、フィールド反転周期であるｍに対応した設定情報がｍフィールド反転数レジスターに設定される（ステップＳＴ１２、ｍフィールド期間反転数設定ステップ）。液晶駆動装置１００は、このｍフィールド反転数レジスターに設定された設定情報に対応したフィールド期間ｍ毎に、上記の反転制御を行うことになる。即ち、フィールド反転周期（フィールド期間数）ｍは可変に構成される。なお、ステップＳＴ１０、ステップＳＴ１２の順序を入れ替えてもよい。ｍは、ｎ、Ｓにかかわらず独立に設定可能な制御パラメーターである。
【００６１】
その後、液晶駆動装置１００は、連続するｍフィールド期間の第１のｍフィールド期間群を、第１の極性（例えば、正極性）から開始して順番にｎライン毎に極性反転させるｎライン反転駆動を行う（ステップＳＴ１４）。ｎは、ステップＳＴ１０において設定され、ｍはステップＳＴ１２において設定される。
【００６２】
そして、液晶駆動装置１００は、第１のｍフィールド期間群に続く連続するｍフィールド期間の第２のｍフィールド期間群を、第１のｍフィールド期間群と反対の極性となるようにライン反転駆動を行う（ステップＳＴ１６）。この第２のフィールド期間群では、直前のｍフィールド期間でｎライン反転駆動が開始されたときの第１の極性と反対の第２の極性からｎライン反転駆動が開始される。
【００６３】
ここで、液晶パネル２０の駆動が終了のとき（ステップＳＴ１８：Ｙ）、液晶駆動装置１００は、一連の処理を終了する（エンド）。駆動を継続するとき（ステップＳＴ１８：Ｎ）、液晶駆動装置１００は、第２のｍフィールド期間群に続く連続するｍフィールド期間の第３のｍフィールド期間群を、第２のｍフィールド期間群から継続してｎライン反転駆動を行う（ステップＳＴ２０）。ステップＳＴ１４を第１の駆動ステップ、ステップＳＴ１６を第２の駆動ステップとすると、ステップＳＴ２０を第３の駆動ステップということができる。
【００６４】
その後、液晶パネル２０の駆動が終了のとき（ステップＳＴ２２：Ｙ）、液晶駆動装置１００は、一連の処理を終了する（エンド）。駆動を継続するとき（ステップＳＴ２２：Ｎ）、液晶駆動装置１００は、ステップＳＴ１６に戻る。即ち、液晶駆動装置１００は、第３のｍフィールド期間群を第１のｍフィールド期間群とし、ステップＳＴ２０を開始する極性を第１の極性としてステップＳＴ１６に戻る。以降、液晶駆動装置１００は、ステップＳＴ１６〜ステップＳＴ２２を繰り返す。
【００６５】
図８、図９に、本実施形態における液晶駆動方法の説明図を示す。図８及び図９は、ｎが「２０」、ｍが「４」に設定されたときの１３２ラインの液晶パネル２０を駆動する際の各フィールド期間におけるコモン電極に対応した極性を表す。図８及び図９において、「Ｌ」、「Ｈ」は極性反転信号ＦＲの論理レベルを表し、「Ｌ」は正極性、「Ｈ」は負極性を表す。また、図８は１フレーム〜６フレームまでの極性を表し、図９は図８に続く７フレームから１２フレームまでを表す。なお、ｎが「２０」、ｍが「４」に設定されたときの極性反転周期は２０フレームとなるが、図８及び図９では、１２フレームまでを図示している。
【００６６】
１フレーム目の４フィールド期間（第１のｍフィールド期間群）においては、フィールド期間「１」で正極性から開始して、２０ライン（４ライン同時選択のＭＬＳ駆動法では５ブロックに相当）毎にｎライン反転駆動が行われる。この４フィールド期間では、各々の直前のフィールド期間におけるｎライン反転駆動が継続される。そのため、例えばコモン電極ＣＯＭ１２０〜１３１の１２ライン（３ブロック）が正極性でフィールド期間「１」のｎライン反転駆動が終了すると、フィールド期間「２」のコモン電極ＣＯＭ０〜ＣＯＭ７の８ライン（２ブロック）はそのまま正極性で駆動される。その後、フィールド期間「２」のコモン電極ＣＯＭ８〜ＣＯＭ１１のブロックから、負極性に反転されて駆動されることになる。
【００６７】
最初の４フィールド期間が終了すると、続く４フィールド期間（図８では、２フレーム目のフィールド期間「１」〜「４」）（第２のｍフィールド期間群）では、最初の４フィールド期間の極性と反対の極性でｎライン反転駆動が行われる。即ち、２フレーム目のフィールド期間「１」では、１フレーム目のフィールド期間「１」とは反対の負極性から順番にｎライン反転駆動が行われる。この４フィールド期間においても、各々の直前のフィールド期間におけるｎライン反転駆動が継続される。そのため、例えばコモン電極ＣＯＭ１２０〜１３１の１２ライン（３ブロック）が負極性でフィールド期間「１」のｎライン反転駆動が終了すると、フィールド期間「２」のコモン電極ＣＯＭ０〜ＣＯＭ７の８ライン（２ブロック）はそのまま負正極性で駆動される。その後、フィールド期間「２」のコモン電極ＣＯＭ８〜ＣＯＭ１１のブロックから、正極性に反転されて駆動されることになる。
【００６８】
続く４フィールド期間（図８では、３フレーム目のフィールド期間「１」〜「４」）（第３のｍフィールド期間群）では、直前の２フレーム目のフィールド期間「４」のｎライン反転駆動が継続される。そのため、コモン電極ＣＯＭ１２４〜１３１の８ライン（２ブロック）が負極性で２フレーム目のフィールド期間「４」のｎライン反転駆動が終了すると、３フレーム目のフィールド期間「１」のコモン電極ＣＯＭ０〜ＣＯＭ１１の１２ライン（３ブロック）はそのまま負極性で駆動される。その後、フィールド期間「１」のコモン電極ＣＯＭ１２〜ＣＯＭ１５のブロックから、正極性に反転されて駆動されることになる。
【００６９】
続く４フィールド期間（図８では、４フレーム目のフィールド期間「１」〜「４」）では、直前の４フィールド期間の極性と反対の極性でｎライン反転駆動が行われる。即ち、４フレーム目のフィールド期間「１」では、３フレーム目のフィールド期間「１」とは反対の正極性でｎライン反転駆動が行われる。そのため、３フレーム目のフィールド期間「１」でコモン電極ＣＯＭ０〜ＣＯＭ１１が負極性のｎライン反転駆動が行われたとすると、４フレーム目のフィールド期間「１」では、コモン電極ＣＯＭ０〜ＣＯＭ１１は正極性でｎライン反転駆動が行われる。その後、フィールド期間「１」のコモン電極ＣＯＭ１２〜ＣＯＭ１５のブロックから、負極性に反転されて駆動される。以降、同様に２０フレームまで繰り返す。
【００７０】
従って、図８及び図９では、２フレーム目、４フレーム目、６フレーム目、８フレーム目、１０フレーム目、１２フレーム目、・・・のそれぞれのフィールド期間「１」において、直前の４フィールド期間とは反対の極性でｎライン反転駆動が行われる。
【００７１】
図１０、図１１に、本実施形態における液晶駆動方法の第１の説明図を示す。図１０及び図１１は、ｎが「２０」、ｍが「４」に設定されたときの７６ラインの液晶パネルを駆動する際に、１フレーム期間のフィールド期間毎に、極性に応じてコモン電極ＣＯＭ０〜ＣＯＭ３に供給される選択電圧を表す。即ち、図８及び図９で説明した液晶駆動方法を、図５及び図６と同様のライン数の液晶パネルを例に表す。図１０は、１フレーム目から１１フレーム目までの選択電圧を表し、図１１は、１１フレームから２０フレーム目までの選択電圧を表す。
【００７２】
上述のように、極性反転周期は２０フレームとなる。ここで、選択パルスの種類に着目すると、コモン電極ＣＯＭ０〜ＣＯＭ３の各々について、電圧Ｖ３の選択パルス数が「４０」、電圧ＭＶ３の選択パルス数が「４０」である。従って、本実施形態によれば、バイアス電位のずれがあったとしても、コモン電極に応じて実効電圧の差が生じることなく、液晶パネル２０に濃淡の縞模様が発生しない。
【００７３】
ここで、極性反転周期である２０フレームの中で、前半の１フレーム目から１０フレーム目と、後半の１１フレーム目から２０フレーム目とに分割する。このとき、コモン電極ＣＯＭ０〜ＣＯＭ３の各々について、電圧Ｖ３の選択パルス数が「２０」、電圧ＭＶ３の選択パルス数が「２０」である。
【００７４】
ところが、分割ポイントをずらして、図１０及び図１１に示すように、２０フレーム目及び１フレーム目から９フレーム目までの期間Ｔ１と、１０フレーム目から１９フレーム目までの期間Ｔ２とする。このとき、期間Ｔ１では、コモン電極ＣＯＭ０〜ＣＯＭ３のそれぞれについて、電圧Ｖ３の選択パルス数が「２２」、電圧ＭＶ３の選択パルス数が「１８」である。また、期間Ｔ２では、コモン電極ＣＯＭ０〜ＣＯＭ３の各々について、電圧Ｖ３の選択パルス数が「１８」、電圧ＭＶ３の選択パルス数が「２２」である。そのため、バイアス電位のずれがあると、極性反転周期である２０フレームの中で実効電圧が変動することを意味し、液晶パネル２０に濃淡の縞模様が変動して見える可能性がある。これは、極性反転周期が長くなると、ちらつきとして認識される可能性がある。
【００７５】
そこで、本実施形態では、極性反転させるライン数ｎや、極性反転させるフィールド期間数ｍを設定可能とすることで、液晶パネルの表示ライン数等との関係で生じる可能性のあるちらつきを解消することができるようになっている。例えば、極性反転させるライン数ｎをそのままで、極性反転させるフィールド期間数ｍを「２」とすると、次のようになる。
【００７６】
図１２に、本実施形態における液晶駆動方法の第２の説明図を示す。図１２は、ｎが「２０」、ｍが「２」に設定されたときの７６ラインの液晶パネルを駆動する際に、１フレーム期間のフィールド期間毎に、極性に応じてコモン電極ＣＯＭ０〜ＣＯＭ３に供給される選択電圧を表す。即ち、図１２は、図１０及び図１１においてｍを変更したときの選択電圧を表す。
【００７７】
ｍを「２」に設定することで、極性反転周期は１０フレームとなる。ここで、選択パルスの種類に着目すると、コモン電極ＣＯＭ０〜ＣＯＭ３の各々について、電圧Ｖ３の選択パルス数が「２０」、電圧ＭＶ３の選択パルス数が「２０」である。従って、本実施形態によれば、バイアス電位のずれがあったとしても、コモン電極に応じて実効電圧の差が生じることなく、液晶パネル２０に濃淡の縞模様が発生しない。
【００７８】
ここで、極性反転周期である１０フレームの中で、前半の１フレーム目から５フレーム目と、後半の６フレーム目から１０フレーム目とに分割する。このとき、前半は、コモン電極ＣＯＭ０、ＣＯＭ２の各々について、電圧Ｖ３の選択パルス数が「１１」、電圧ＭＶ３の選択パルス数が「９」である。また、コモン電極ＣＯＭ１、ＣＯＭ３の各々について、電圧Ｖ３の選択パルス数が「９」、電圧ＭＶ３の選択パルス数が「１１」である。これに対して、後半は、コモン電極ＣＯＭ０、ＣＯＭ２の各々について、電圧Ｖ３の選択パルス数が「９」、電圧ＭＶ３の選択パルス数が「１１」である。また、コモン電極ＣＯＭ１、ＣＯＭ３の各々について、電圧Ｖ３の選択パルス数が「１１」、電圧ＭＶ３の選択パルス数が「９」である。
【００７９】
また、分割ポイントを例えば２フィールド期間分ずらす。このとき、図１２に示すように、１０フレーム目のフィールド期間「３」から５フレーム目のフィールド期間「２」までの期間Ｔ３と、５フレーム目のフィールド期間「３」から１０フレーム目のフィールド期間「２」までの期間Ｔ４となる。期間Ｔ３では、コモン電極ＣＯＭ０〜ＣＯＭ３の各々について、電圧Ｖ３の選択パルス数が「１１」、「１１」、「１３」、「９」であり、電圧ＭＶ３の選択パルス数が「９」、「９」、「７」、「１１」である。これに対して、期間Ｔ４では、コモン電極ＣＯＭ０〜ＣＯＭ３の各々について、電圧Ｖ３の選択パルス数が「９」、「９」、「７」、「１１」であり、電圧ＭＶ３の選択パルス数が「１１」、「１１」、「１３」、「９」である。そのため、バイアス電位のずれがあると、極性反転周期である１０フレームの中で実効電圧が変動することを意味し、液晶パネル２０に濃淡の縞模様が変動して見える可能性がある。ところが、ｍが「４」の場合と比較して極性反転周期が短くなるので、ちらつきとして認識されないようにすることができる。また、これは、より応答速度の速い液晶パネルに対応させることができることも意味する。
【００８０】
更に、ｍを変更できるようにすることで、電圧Ｖ３の選択パルスと電圧ＭＶ３の選択パルスの粗密の分布が変更されるため、液晶パネル２０の表示品質を向上させることができるようになる。
【００８１】
以上のような液晶駆動方法を実現する液晶駆動装置１００は、次のような構成を有することができる。
【００８２】
図１３に、本実施形態における液晶駆動装置１００の構成例のブロック図を示す。図１３では、画素形成領域２２をあわせて図示している。
図１４に、本実施形態におけるコモンアドレス及びラインアドレスの説明図を示す。
【００８３】
液晶駆動装置１００は、ホストプロセッサー用インターフェイス１１０と、発振回路１１２と、制御回路１１４と、コモンアドレスデコーダー１１６と、コモン出力演算回路１１８と、コモンドライバー１２０と、ページアドレス制御回路１２２とを備えている。また、液晶駆動装置１００は、カラムアドレス制御回路１２４と、ラインアドレス制御回路１２６と、画像データＲＡＭ１２８と、画像データラッチ回路１３０と、ＭＬＳデコーダー１３２と、セグメントドライバー１３４とを備えている。画像データＲＡＭ１２８は、フレームメモリー（画像データメモリー）として機能する。制御回路１１４は、極性反転制御回路（極性反転制御部）２００を有する。本実施形態における駆動部は、コモンドライバー１２０及びセグメントドライバー１３４を含んで構成され、コモンアドレスデコーダー１１６、コモン出力演算回路１１８、及びＭＬＳデコーダー１３２の少なくとも１つを更に含んでもよい。
【００８４】
ホストプロセッサー用インターフェイス１１０は、液晶駆動装置１００が有する入力端子又は入出力端子を介してホストプロセッサー３０から入力される入力信号の入力インターフェイス処理を行う。またホストプロセッサー用インターフェイス１１０は、液晶駆動装置１００が有する出力端子又は入出力端子を介してホストプロセッサー３０に出力する出力信号の出力インターフェイス処理を行う。
【００８５】
発振回路１１２は、液晶駆動装置１００が生成する表示タイミング信号の基準となる発振クロックＯＳＣを発振動作により生成する。例えば、制御回路１１４は、発振クロックＯＳＣに基づいて、複数種類の表示タイミング信号を生成する。この制御回路１１４は、コモンアドレスデコーダー１１６等の液晶駆動装置１００の各部を制御する制御信号を生成する。極性反転制御回路２００は、コモンドライバー１２０及びセグメントドライバー１３４等が液晶パネル２０（具体的には画素形成領域２２）に供給する駆動信号の極性反転制御を行う。駆動信号としては、コモンドライバー１２０がコモン電極に出力する選択パルス、セグメントドライバー１３４がセグメント電極に出力する液晶駆動電圧がある。
【００８６】
コモンアドレスデコーダー１１６は、制御回路１１４において生成されＭＬＳ駆動において同時選択される複数のコモン電極に対応したコモンアドレスをデコードする。このデコード結果はコモンドライバー１２０に出力される。コモンアドレスは、同時選択される複数のコモン電極毎に割り当てられ、ＭＬＳ駆動を行う際にコモンアドレスを指定することで、対応するコモン電極が選択される。
【００８７】
コモン出力演算回路１１８は、制御回路１１４において生成される極性反転信号ＦＲ、ＭＬＳ駆動パターンを識別するフィールド識別信号Ｆ１、Ｆ２に基づいて、コモン出力の出力レベルを制御する。
【００８８】
コモンドライバー１２０は、コモンアドレスデコーダー１１６のデコード結果に基づいて、コモン出力の選択／非選択を制御し、選択されたコモン出力として、コモン出力演算回路１１８で生成された出力レベルを出力する。
【００８９】
ページアドレス制御回路１２２は、ホストプロセッサー用インターフェイス１１０を介してホストプロセッサー３０から入力される画像データを画像データＲＡＭ１２８にアクセスするためのページアドレスを制御する。ページアドレスは、ホストプロセッサー３０から入力される画像データのバス幅をアクセス単位として定義される。
【００９０】
カラムアドレス制御回路１２４は、ホストプロセッサー用インターフェイス１１０を介してホストプロセッサー３０から入力される画像データを画像データＲＡＭ１２８にアクセスするためのカラムアドレスを制御する。カラムアドレスは、画素形成領域２２のセグメント電極に対応して定義される。
【００９１】
ラインアドレス制御回路１２６は、画像データＲＡＭ１２８に保存された画像データのうち読み出しラインを特定するラインアドレスを制御する。ラインアドレスは、画素形成領域２２のコモン電極に対応して定義される。本実施形態におけるコモンアドレス及びラインアドレスは、図１４に示すように定義される。例えば、制御回路１１４がコモンアドレス「０」を出力したとき、コモン電極ＣＯＭ０〜ＣＯＭ３が同時選択される。このとき、画像データＲＡＭ１２８に記憶される画像データのうち、ラインアドレス０〜３に対応する画像データが読み出される。同様に、制御回路１１４がコモンアドレス「１」を出力したとき、コモン電極ＣＯＭ４〜ＣＯＭ７が同時選択される。このとき、画像データＲＡＭ１２８に記憶される画像データのうち、ラインアドレス４〜７に対応する画像データが読み出される。このように、コモンアドレスにより、同時選択される４ラインのコモン電極を１ブロックとするブロック単位で指定でき、ラインアドレスも一意に決まる。
【００９２】
図１３において、画像データＲＡＭ１２８は、画素形成領域２２の画素の並びに対応して、各画素の画像データが記憶される記憶領域を有する。各記憶領域は、ページアドレス及びカラムアドレスにより特定される。これにより、画像データＲＡＭ１２８には、ページアドレス及びカラムアドレスにより特定される領域に画像データが書き込まれる。一方、画像データＲＡＭ１２８からは１ライン単位で画像データが読み出される。
【００９３】
画像データラッチ回路１３０は、画像データＲＡＭ１２８から１ラインずつ読み出された画像データを４ライン分ラッチする。
【００９４】
ＭＬＳデコーダー１３２は、画像データと、制御回路１１４において生成されＭＬＳ駆動を行うための表示タイミング信号とをデコードする。より具体的には、ＭＬＳデコーダー１３２は、画像データラッチ回路１３０によってラッチされた画像データと、制御回路１１４によって生成される極性反転信号ＦＲ、フィールド識別信号Ｆ１、Ｆ２とに基づいて、セグメント出力の出力レベルを制御する。このＭＬＳデコーダー１３２のデコード結果は、セグメントドライバー１３４に出力される。
【００９５】
セグメントドライバー１３４は、ＭＬＳデコーダー１３２のデコード結果に基づいて、セグメント電極に、ＭＬＳデコーダー１３２でデコードされた出力レベルを出力する。なお、セグメントドライバー１３４には、制御回路１１４において生成された表示オフ信号ＸＤＯＦにより、ＭＬＳデコーダー１３２のデコード結果にかかわらずセグメント電極に所与の出力レベルを出力して表示をオフにする制御を行うことができる。本実施形態では、表示オフ信号ＸＤＯＦにより、コモン電極と同電位となるような出力レベルをセグメント電極に出力することで、表示をオフする。
【００９６】
ＭＬＳ駆動法において１フレーム期間内に設けられる各フィールド期間は、液晶駆動装置１００においてフィールド識別信号Ｆ１、Ｆ２により特定される。液晶駆動装置１００は、２ビットのフィールド識別信号Ｆ１、Ｆ２で表される４状態に対応したフィールド期間毎に、各コモン電極に電圧Ｖ３又は電圧ＭＶ３を出力する。各フィールド期間における各コモン電極への出力パターンは、選択パターンとして直交関数系により定義される。液晶駆動装置１００は、予め決められた直交関数系により定義される選択パターンに従って、３種類の駆動電圧Ｖ３、ＶＣ、ＭＶ３のいずれかを適宜選択し、同時選択されるコモン電極にそれぞれ印加するようになっている。
【００９７】
各フィールド期間は、同時選択される複数のコモン電極毎に割り当てられる複数のサブ選択期間に分割される。フィールド期間「１」を分割した複数のサブ選択期間のうち、同時選択されるコモン電極ＣＯＭ０〜ＣＯＭ３が選択されるサブ選択期間では、次のような動作が行われる。液晶駆動装置１００は、電圧（Ｖ２、Ｖ１、ＶＣ、ＭＶ１、ＭＶ２）のいずれかを選択し、セグメント電極ＳＥＧ０に選択した電圧を印加する。このとき、液晶駆動装置１００は、セグメント電極ＳＥＧ０と同時選択されるコモン電極ＣＯＭ０〜ＣＯＭ３の各々との交差位置に対応した各ドットの表示パターンと選択パターンとの極性の不一致数に応じて電圧を選択する。同様に、他のセグメント電極に対して、選択した電圧を印加する。
【００９８】
次に、フィールド期間「１」を分割した複数のサブ選択期間のうち、次に同時選択されるコモン電極が選択されるサブ選択期間において、各セグメント電極の列の不一致数を決定し、得られた電圧のデータを印加する。こうしてすべてのコモン電極について、以上の手順を繰り返すと、フィールド期間「１」における動作が終了する。同様にフィールド期間「２」以降についても、すべてのコモン電極について上記の手順を繰り返すと１つのフレーム期間が終わり、これにより１つの画面の表示が行われる。
【００９９】
このような構成の液晶駆動装置１００では、コモンドライバー１２０は、同時選択される複数のコモン電極を１ブロックとするブロック単位に複数フィールドに亘って各フィールドに対応した選択パターンでコモン電極を走査する。また、セグメントドライバー１３４は、同時選択される複数のコモン電極に対応した画像データ及び上記の選択パターンに対応した駆動電圧でセグメント電極を駆動する。この駆動電圧は、画像データ及び表示タイミング信号に基づいてデコードされた結果により得られる。
【０１００】
図１５に、図１３の極性反転制御回路２００の構成例のブロック図を示す。
【０１０１】
極性反転制御回路２００は、ｍフィールド反転数レジスター２１０と、ｍフィールドカウンター２２０と、反転フィールドレジスター２３０と、反転フィールドシフトレジスター２４０と、ｎライン反転数レジスター２５０とを備えている。また、極性反転制御回路２００は、ｎライン反転数カウンター２６０と、極性レジスター２７０と、ｎライン反転数ラッチ２８０と、極性ラッチ２９０とを備えている。
【０１０２】
ｍフィールド反転数レジスター２１０には、ホストプロセッサー３０により、極性反転させるフィールド期間数ｍに対応した設定情報が設定される。ｍフィールドカウンター２２０は、フィールド期間の先頭タイミングを示すフィールド信号ＦＩＥＬＤに基づいてフィールド期間数をカウントする。反転フィールドレジスター２３０では、フィールド期間が切り替わるときに極性を反転させるか、そのままｎライン反転駆動を継続するかを示すレジスター値が更新される。反転フィールドシフトレジスター２４０は、反転フィールドレジスター２３０のレジスター値を１水平走査期間だけ遅延させて、後述のｎライン反転数ラッチ２８０及び極性ラッチ２９０のラッチタイミングを生成する。
【０１０３】
ｎライン反転数レジスター２５０には、ホストプロセッサー３０により、極性反転させるライン数ｎに対応した設定情報が設定される。ｎライン反転数カウンター２６０は、ｎライン反転駆動により極性を反転させるライン数をカウントする。極性レジスター２７０は、極性反転制御回路２００を構成する各部により生成される極性反転信号ＦＲを保持する。ｎライン反転数ラッチ２８０は、直前のｍフィールド期間群のｎライン反転駆動を開始するときのｎライン反転数カウンター２６０のカウント値をラッチする。極性ラッチ２９０は、直前のｍフィールド期間群のｎライン反転駆動を開始するときの極性に対応した極性反転信号ＦＲをラッチする。
【０１０４】
以下、極性反転制御回路２００を構成する各部の動作例について説明する。
【０１０５】
図１６に、ｍフィールドカウンター２２０の動作例のフロー図を示す。
ｍフィールドカウンター２２０には、フィールド信号ＦＩＥＬＤと、ｍフィールド反転数レジスター２１０のレジスター値とが入力される。フィールド期間の開始タイミングで、フィールド信号ＦＩＥＬＤが「１」に設定される。図１６では、ｍフィールドカウンター２２０のカウント値をｍフィールドカウント値と記載し、ｍフィールド反転数レジスター２１０のレジスター値をｍフィールド反転数レジスター値と記載している。
【０１０６】
フィールド信号ＦＩＥＬＤが「１」のとき（ステップＳＴ３０：Ｙ）、ｍフィールドカウンター２２０は、ｍフィールドカウンター２２０のカウント値がｍフィールド反転数レジスター２１０のレジスター値と一致するか否かを判定する（ステップＳＴ３２）。
【０１０７】
ｍフィールドカウンター２２０のカウント値がｍフィールド反転数レジスター２１０のレジスター値と一致すると判定されたとき（ステップＳＴ３２：Ｙ）、ｍフィールドカウンター２２０は、カウント値を「０」に初期化し（ステップＳＴ３４）、ステップＳＴ３０に戻る（リターン）。ステップＳＴ３２において、ｍフィールドカウンター２２０のカウント値がｍフィールド反転数レジスター２１０のレジスター値と一致しないと判定されたとき（ステップＳＴ３２：Ｎ）、ｍフィールドカウンター２２０は、カウント値をインクリメントし（ステップＳＴ３６）、ステップＳＴ３０に戻る（リターン）。
【０１０８】
ステップＳＴ３０において、フィールド信号ＦＩＥＬＤが「１」ではないとき（ステップＳＴ３０：Ｎ）、ｍフィールドカウンター２２０は、カウント値を更新することなく（ステップＳＴ３８）、ステップＳＴ３０に戻る（リターン）。
【０１０９】
以上のように、ｍフィールドカウンター２２０は、フィールド信号ＦＩＥＬＤに同期して、ｍフィールド反転数レジスター２１０に設定されたレジスター値に対応したフィールド期間数をカウントすることができる。
【０１１０】
図１７に、反転フィールドレジスター２３０の動作例のフロー図を示す。
反転フィールドレジスター２３０には、フィールド信号ＦＩＥＬＤ、ｍフィールドカウンター２２０のカウント値、ｍフィールド反転数レジスター２１０のレジスター値が入力される。図１７では、ｍフィールドカウンター２２０のカウント値をｍフィールドカウント値、ｍフィールド反転数レジスター２１０のレジスター値をｍフィールド反転数レジスター値、反転フィールドレジスター２３０のレジスター値を反転フィールドレジスター値と記載している。
【０１１１】
フィールド信号ＦＩＥＬＤが「１」のとき、反転フィールドレジスター２３０は、ｍフィールドカウンター２２０のカウント値がｍフィールド反転数レジスター２１０のレジスター値と一致するか否かを判定する（ステップＳＴ４２）。ｍフィールドカウンター２２０のカウント値がｍフィールド反転数レジスター２１０のレジスター値と一致すると判定されたとき（ステップＳＴ４２：Ｙ）、反転フィールドレジスター２３０は、レジスター値を反転させて該反転フィールドレジスター２３０にセットし（ステップＳＴ４４）、ステップＳＴ４０に戻る（リターン）。
【０１１２】
フィールド信号ＦＩＥＬＤが「１」ではないとき（ステップＳＴ４０：Ｎ）、又はｍフィールドカウンター２２０のカウント値がｍフィールド反転数レジスター２１０のレジスター値と一致しないと判定されたとき（ステップＳＴ４２：Ｎ）、反転フィールドレジスター２３０は、レジスター値を更新することなく（ステップＳＴ４６）、ステップＳＴ４０に戻る（リターン）。
【０１１３】
以上のように、反転フィールドレジスター２３０は、フィールド信号ＦＩＥＬＤに同期して、レジスター値を更新することができる。レジスター値は、ｍフィールドカウンター２２０のカウント値がｍフィールド反転数レジスター２１０のレジスター値と一致したときに反転して再セットされる。
【０１１４】
図１８に、反転フィールドシフトレジスター２４０の動作例のフロー図を示す。
反転フィールドシフトレジスター２４０には、１水平走査期間の先頭タイミングでパルスを有する水平同期信号ＨＳＹＮＣ、反転フィールドレジスター２３０のレジスター値が入力される。図１８では、反転フィールドレジスター２３０のレジスター値を反転フィールドレジスター値、反転フィールドシフトレジスター２４０のレジスター値を反転フィールドシフトレジスター値と記載している。
【０１１５】
水平同期信号ＨＳＹＮＣが「１」のとき（ステップＳＴ５０：Ｙ）、反転フィールドシフトレジスター２４０は、反転フィールドレジスター２３０のレジスター値を格納し（ステップＳＴ５２）、ステップＳＴ５０に戻る（リターン）。水平同期信号ＨＳＹＮＣが「０」のとき（ステップＳＴ５０：Ｎ）、反転フィールドシフトレジスター２４０は、レジスター値を更新することなく（ステップＳＴ５４）、ステップＳＴ５０に戻る（リターン）。
【０１１６】
以上のように、反転フィールドシフトレジスター２４０は、水平同期信号ＨＳＹＮＣにより規定される１水平走査期間だけ、反転フィールドレジスター２３０のレジスター値を遅延させる。
【０１１７】
図１９に、ｎライン反転数カウンター２６０の動作例のフロー図を示す。
ｎライン反転数カウンター２６０には、フィールド信号ＦＩＥＬＤ、水平同期信号ＨＳＹＮＣ、反転フィールドレジスター２３０のレジスター値、ｍフィールドカウンター２２０のカウント値が入力される。更にｎライン反転数カウンター２６０には、ｍフィールド反転数レジスター２１０のレジスター値、ｎライン反転数レジスター２５０のレジスター値、ｎライン反転数ラッチ２８０にラッチされたカウント値が入力される。図１９では、ｎライン反転数カウンター２６０のカウント値をｎライン反転数カウント値と記載している。
【０１１８】
水平同期信号ＨＳＹＮＣが「１」のとき（ステップＳＴ６０：Ｙ）、ｎライン反転数カウンター２６０は、ｎライン反転駆動に、本実施形態におけるｍフィールド期間毎の反転駆動をオーバーラップするか否かを判定する（ステップＳＴ６２）。ステップＳＴ６２では、所与のオーバーラップ条件を満たすか否かが判定される。このオーバーラップ条件は、フィールド信号ＦＩＥＬＤが「１」で、ｍフィールドカウンター２２０のカウント値がｍフィールド反転数レジスター２１０のレジスター値と一致し、且つ反転フィールドレジスター２３０のレジスター値が「０」である。このオーバーラップ条件を満たすと判定されたとき（ステップＳＴ６２：Ｙ）、ｎライン反転数カウンター２６０は、カウント値をｎライン反転数ラッチ２８０にラッチされたカウント値に設定し（ステップＳＴ６４）、ステップＳＴ６０に戻る（リターン）。
【０１１９】
上述のオーバーラップ条件を満たさないと判定されたとき（ステップＳＴ６２：Ｎ）、ｎライン反転数カウンター２６０は、カウント値が（極性反転ライン数／４−１）であるか否かを判定する（ステップＳＴ６６）。ステップＳＴ６６における極性反転ライン数は、ｎライン反転数レジスター２５０のレジスター値により設定される。カウント値が（極性反転ライン数／４−１）であると判定されたとき（ステップＳＴ６６：Ｙ）、ｎライン反転数カウンター２６０は、カウント値を「０」に初期化し（ステップＳＴ６８）、ステップＳＴ６０に戻る（リターン）。カウント値が（極性反転ライン数／４−１）ではないと判定されたとき（ステップＳＴ６６：Ｎ）、ｎライン反転数カウンター２６０は、カウント値をインクリメントし（ステップＳＴ７０）、ステップＳＴ６０に戻る（リターン）。
【０１２０】
ステップＳＴ６０において、水平同期信号ＨＳＹＮＣが「１」ではないとき（ステップＳＴ６０：Ｎ）、ｎライン反転数カウンター２６０は、カウント値を更新することなく（ステップＳＴ７２）、ステップＳＴ６０に戻る（リターン）。
【０１２１】
以上のように、ｎライン反転数カウンター２６０は、オーバーラップ条件を満たしたときにｎライン反転数ラッチ２８０にラッチされたカウント値が設定され、ｎライン反転駆動のためのライン数をカウントすることができる。
【０１２２】
図２０に、ｎライン反転数ラッチ２８０の動作例のフロー図を示す。
ｎライン反転数ラッチ２８０には、水平同期信号ＨＳＹＮＣ、ｎライン反転数カウンター２６０のカウント値、反転フィールドシフトレジスター２４０のレジスター値、反転フィールドレジスター２３０のレジスター値が入力される。図２０では、反転フィールドレジスター２３０のレジスター値を反転フィールドレジスター値、反転フィールドシフトレジスター２４０のレジスター値を反転フィールドシフトレジスター値、ｎライン反転数ラッチ２８０のラッチ値をｎライン反転数ラッチ値、ｎライン反転数カウンター２６０のカウント値をｎライン反転数カウント値と記載している。
【０１２３】
水平同期信号ＨＳＹＮＣが「１」のとき（ステップＳＴ８０：Ｙ）、ｎライン反転数ラッチ２８０は、反転フィールドレジスター２３０のレジスター値が「０」で、且つ、反転フィールドシフトレジスター２４０のレジスター値が「１」であるか否かを判定する（ステップＳＴ８２）。即ち、反転フィールドレジスター２３０のレジスター値の変化タイミングが検出される。
【０１２４】
反転フィールドレジスター２３０のレジスター値が「０」で、且つ、反転フィールドシフトレジスター２４０のレジスター値が「１」であると判定されたとき（ステップＳＴ８２：Ｙ）、ｎライン反転数ラッチ２８０は、ｎライン反転数カウンター２６０のカウント値をラッチし（ステップＳＴ８４）、ステップＳＴ８０に戻る（リターン）。
【０１２５】
水平同期信号ＨＳＹＮＣが「０」のとき（ステップＳＴ８０：Ｎ）、又は反転フィールドレジスター２３０のレジスター値が「０」で、且つ、反転フィールドシフトレジスター２４０のレジスター値が「１」であると判定されないとき（ステップＳＴ８２：Ｎ）、ｎライン反転数ラッチ２８０は、ラッチ値を更新することなく（ステップＳＴ８６）、ステップＳＴ８０に戻る（リターン）。
【０１２６】
以上のように、ｎライン反転数ラッチ２８０は、反転フィールドレジスター２３０のレジスター値の変化タイミングで、ｎライン反転数カウンター２６０のカウント値をラッチすることができる。即ち、ｎライン反転数ラッチ２８０は、直前のｍフィールド期間のｎライン反転駆動を開始するときのｎライン反転数カウンター２６０のカウント値をラッチすることができる。
【０１２７】
図２１に、極性レジスター２７０の動作例のフロー図を示す。
極性レジスター２７０には、水平同期信号ＨＳＹＮＣ、ｎライン反転数カウンター２６０のカウント値、反転フィールドシフトレジスター２４０のレジスター値、反転フィールドレジスター２３０のレジスター値が入力される。更に、極性レジスター２７０には、ｍフィールドカウンター２２０のカウント値、ｎライン反転数レジスター２５０のレジスター値、極性ラッチ２９０のラッチ値が入力される。図２１では、極性ラッチ２９０のラッチ値を極性ラッチ値、極性レジスター２７０のレジスター値を極性レジスター値、ｎライン反転数カウンター２６０のカウント値をｎライン反転数カウント値と記載している。
【０１２８】
水平同期信号ＨＳＹＮＣが「１」のとき（ステップＳＴ９０：Ｙ）、極性レジスター２７０は、ｎライン反転駆動に、本実施形態におけるｍフィールド期間毎の反転駆動をオーバーラップするか否かを判定する（ステップＳＴ９２）。ステップＳＴ９２では、図１９のステップＳＴ６２と同様のオーバーラップ条件を満たすか否かが判定される。
【０１２９】
ステップＳＴ９２において、上述のオーバーラップ条件を満たすと判定されたとき（ステップＳＴ９２：Ｙ）、極性レジスター２７０は、極性ラッチ２９０のラッチ値を反転させた論理レベルの極性反転信号ＦＲを出力し（ステップＳＴ９４）、ステップＳＴ９０に戻る（リターン）。
【０１３０】
上述のオーバーラップ条件を満たさないと判定されたとき（ステップＳＴ９２：Ｎ）、極性レジスター２７０は、ｎライン反転数カウンター２６０のカウント値が（極性反転ライン数／４−１）であるか否かを判定する（ステップＳＴ９６）。このカウント値が（極性反転ライン数／４−１）であると判定されたとき（ステップＳＴ９６：Ｙ）、極性レジスター２７０は、極性レジスター２７０のレジスター値を反転させて再設定し、この反転後の論理レベルの極性反転信号ＦＲを出力し（ステップＳＴ９８）、ステップＳＴ９０に戻る（リターン）。
【０１３１】
カウント値が（極性反転ライン数／４−１）ではないと判定されたとき（ステップＳＴ９６：Ｎ）、又はステップＳＴ９０において水平同期信号ＨＳＹＮＣが「１」ではないとき（ステップＳＴ９０：Ｎ）、極性レジスター２７０は、極性レジスター２７０のレジスター値に対応した論理レベルの極性反転信号ＦＲを出力し（ステップＳＴ１００）、ステップＳＴ９０に戻る（リターン）。
【０１３２】
以上のように、極性レジスター２７０は、極性反転させるライン数ｎ及びフィールド期間ｍに応じて、極性反転信号ＦＲを出力することができる。
【０１３３】
図２２に、極性ラッチ２９０の動作例のフロー図を示す。
極性ラッチ２９０には、水平同期信号ＨＳＹＮＣ、反転フィールドシフトレジスター２４０のレジスター値、反転フィールドレジスター２３０のレジスター値、極性レジスター２７０のレジスター値が入力される。図２２では、反転フィールドレジスター２３０のレジスター値を反転フィールドレジスター値、反転フィールドシフトレジスター２４０のレジスター値を反転フィールドシフトレジスター値、極性ラッチ２９０のラッチ値を極性ラッチ値、極性レジスター２７０のレジスター値を極性レジスター値と記載している。
【０１３４】
水平同期信号ＨＳＹＮＣが「１」のとき（ステップＳＴ１１０：Ｙ）、極性ラッチ２９０は、反転フィールドレジスター２３０のレジスター値が「０」で、且つ、反転フィールドシフトレジスター２４０のレジスター値が「１」であるか否かを判定する（ステップＳＴ１１２）。即ち、反転フィールドレジスター２３０のレジスター値の変化タイミングが検出される。
【０１３５】
反転フィールドレジスター２３０のレジスター値が「０」で、且つ、反転フィールドシフトレジスター２４０のレジスター値が「１」であると判定されたとき（ステップＳＴ１１２：Ｙ）、極性ラッチ２９０は、極性レジスター２７０のレジスター値をラッチし（ステップＳＴ１１４）、ステップＳＴ１１０に戻る（リターン）。
【０１３６】
水平同期信号ＨＳＹＮＣが「０」のとき（ステップＳＴ１１０：Ｎ）、又は反転フィールドレジスター２３０のレジスター値が「０」で、且つ、反転フィールドシフトレジスター２４０のレジスター値が「１」であると判定されないとき（ステップＳＴ１１２：Ｎ）、極性ラッチ２９０は、ラッチ値を更新することなく（ステップＳＴ１１６）、ステップＳＴ１１０に戻る（リターン）。
【０１３７】
以上のように、極性ラッチ２９０は、反転フィールドレジスター２３０のレジスター値の変化タイミングで、極性レジスター２７０のレジスター値をラッチすることができる。即ち、極性ラッチ２９０は、直前のｍフィールド期間のｎライン反転駆動を開始するときの極性をラッチすることができる。
【０１３８】
図２３に、極性反転制御回路２００の動作例のタイミング図を示す。図２３では、表示ライン数が「２０」、ｎが「１２」（＝３ブロック）、ｍが「２」のときのタイミング例を表す。
【０１３９】
垂直同期信号ＶＳＹＮＣが「１」になると、１垂直走査期間を分割した各フィールド期間が開始される。各フィールド期間では、水平同期信号ＨＳＹＮＣが「１」となるたびに１水平走査期間が開始される。４ライン同時選択のＭＬＳ駆動法における通常のｎライン反転駆動のみの場合、極性反転信号ＦＲは、３ブロック（＝１２ライン）毎に反転する。
【０１４０】
これに対して、フィールド期間「１」からフィールド期間「２」においてｎライン反転駆動が行われると、フィールド期間「３」ではフィールド期間「１」とは反対の極性でｎライン反転駆動が行われる。そのため、フィールド期間「３」の開始時のｎライン反転数カウンター２６０は、「０」からカウントが開始される（図２３のＧ１）。
【０１４１】
これは、ｎライン反転数ラッチ２８０には、反転フィールドレジスター２３０のレジスター値の立ち下がりに同期して、ｎライン反転数カウンター２６０のカウント値がラッチされたものである。
【０１４２】
次のフィールド期間「１」では、直前のフィールド期間「４」から継続してｎライン反転駆動が行われる（図２３のＧ２）。このときのｎライン反転数カウンター２６０のカウント値は「１」である。そして、次のフィールド期間「３」では、このフィールド期間「１」とは反対の極性でｎライン反転駆動が行われる。そのため、フィールド期間「３」の開始時のｎライン反転数カウンター２６０は、「１」からカウントが開始される（図２３のＧ３）。
【０１４３】
以上のように、極性反転制御回路２００は、フィールド期間ｍやライン数ｎに応じて論理レベルの反転が繰り返される極性反転信号ＦＲを出力する。これにより、極性反転制御回路２００は、コモン電極及びセグメント電極の間の電圧の極性を反転させる制御を行うことができる。
【０１４４】
図２４に、本実施形態における液晶駆動装置１００の駆動タイミングの一例を示す。図２４では、図２３と同様の条件におけるコモン電極の波形及びセグメント電極の波形を表す。セグメント電極の波形は、全点灯オン時の波形である。
【０１４５】
図２４に示すように、４ラインのコモン電極が同時選択され、選択パターンに応じた選択電圧が供給される。１フレーム目のフィールド期間「３」ではフィールド期間「１」とは反対の極性でｎライン反転駆動が行われるため、図２３に示すようにｎライン反転数カウンター２６０のカウント値が「０」に再設定される。これ以降、通常のｎライン反転駆動と異なり、ｎライン反転数カウンター２６０のカウント値がずれていく。そのため、図２４では、通常のｎライン反転駆動とは反対の極性でコモン電極ＣＯＭ８〜ＣＯＭ１１が駆動される（図２４の波線部分）。その後は、通常のｎライン反転駆動と異なる極性反転駆動が行われることになる。
【０１４６】
以上説明したように、本実施形態においては、ｎライン反転数ラッチ２８０及び極性ラッチ２９０を設けたので、極性反転させるライン数ｎ及びフィールド期間数ｍに応じて、極性反転制御を行うことができるようになる。そのため、バイアス電位にずれがあったとしても、コモン電極に応じて実効電圧の差が生じることなく、液晶パネル２０において濃淡の縞模様の発生を抑えることができるようになる。また、極性反転周期によって濃淡の縞模様の変動がちらつきとして認識される場合であっても、フィールド期間数ｍを変更することができるので、ちらつきとして認識されないようにすることもできるようになる。
【０１４７】
〔電子機器〕
上記の実施形態における液晶駆動装置又は該液晶駆動装置が適用された液晶パネル２０や液晶装置１０は、次のような電子機器に適用できる。
【０１４８】
図２５（Ａ）、図２５（Ｂ）に、本実施形態が適用された電子機器の構成の斜視図を示す。図２５（Ａ）は、モバイル型のパーソナルコンピューターの構成の斜視図を表す。図２５（Ｂ）は、携帯電話機の構成の斜視図を表す。
【０１４９】
図２５（Ａ）に示すパーソナルコンピューター８００は、本体部８１０と、表示部８２０とを含む。表示部８２０として、上記の実施形態における液晶パネル２０又は液晶装置１０が適用される。本体部８１０は、ホストプロセッサーを含み、この本体部８１０にはキーボード８３０が設けられる。即ち、パーソナルコンピューター８００は、少なくとも上記の実施形態における液晶駆動装置１００を含んで構成される。キーボード８３０を介した操作情報がホストプロセッサーによって解析され、その操作情報に応じて表示部８２０に画像が表示される。
【０１５０】
図２５（Ｂ）に示す携帯電話機９００は、本体部９１０と、表示部９２０とを含む。表示部９２０として、上記の実施形態における液晶パネル２０又は液晶装置１０が適用される。本体部９１０は、ホストプロセッサーを含み、この本体部９１０にはキーボード９３０が設けられる。即ち、携帯電話機９００は、上記の実施形態における液晶駆動装置１００を含んで構成される。キーボード９３０を介した操作情報がホストプロセッサーによって解析され、その操作情報に応じて表示部９２０に画像が表示される。
【０１５１】
なお、上記の実施形態又が適用された電子機器として、図２５（Ａ）、図２５（Ｂ）に示すものに限定されるものではない。例えば、情報携帯端末（ＰＤＡ：Personal Digital Assistants）、デジタルスチルカメラ、テレビ、ビデオカメラ、カーナビゲーション装置、ページャー、電子手帳、電子ペーパー、電卓、ワードプロセッサー、ワークステーション、テレビ電話、ＰＯＳ（Point of sale system）端末、プリンター、スキャナー、複写機、ビデオプレーヤー、タッチパネルを備えた機器等が挙げられる。
【０１５２】
以上、本発明に係る液晶駆動方法、液晶駆動装置、液晶装置、及び電子機器等を上記の実施形態に基づいて説明したが、本発明は上記の実施形態に限定されるものではない。例えば、その要旨を逸脱しない範囲において種々の態様において実施することが可能であり、次のような変形も可能である。
【０１５３】
（１）上記の実施形態では、液晶駆動装置がＭＬＳ駆動法により駆動する例を説明したが、本発明はこれに限定されるものではない。
【０１５４】
（２）上記の実施形態では、４ラインを同時選択するＭＬＳ駆動法を例に説明したが、同時選択ライン数に本発明が限定されるものではない。また、上記の実施形態において説明した液晶パネルの表示ライン数、ｎライン反転駆動において極性反転させるライン数ｎ、極性反転されるフィールド期間数ｍに、本発明は限定されるものではない。更に、上記の実施形態において説明したコモン電極の選択パターンに、本発明が限定されるものではない。
【０１５５】
（３）上記の実施形態において、液晶駆動方法、液晶駆動装置、液晶装置、及び電子機器等として説明したが、本発明はこれに限定されるものではなく、例えば本発明に係る液晶駆動方法により実現される液晶パネルの画像表示方法等であってもよい。
【符号の説明】
【０１５６】
１０…液晶装置、  ２０…液晶パネル、  ２２…画素形成領域、
３０…ホストプロセッサー、  ４０…電源回路、  １００…液晶駆動装置、
１１０…ホストプロセッサー用インターフェイス、  １１２…発振回路、
１１４…制御回路、  １１６…コモンアドレスデコーダー、
１１８…コモン出力演算回路、  １２０…コモンドライバー、
１２２…ページアドレス制御回路、  １２４…カラムアドレス制御回路、
１２６…ラインアドレス制御回路、  １２８…画像データＲＡＭ、
１３０…画像データラッチ回路、  １３２…ＭＬＳデコーダー、
１３４…セグメントドライバー、  ２００…極性反転制御回路、
２１０…ｍフィールド反転数レジスター、  ２２０…ｍフィールドカウンター、
２３０…反転フィールドレジスター、  ２４０…反転フィールドシフトレジスター、
２５０…ｎライン反転数レジスター、  ２６０…ｎライン反転数カウンター、
２７０…極性レジスター、  ２８０…ｎライン反転数ラッチ、  ２９０…極性ラッチ、
ＣＯＭ０〜ＣＯＭＱ…コモン電極、  ＦＩＥＬＤ…フィールド信号、
ＦＲ…極性反転信号、  ＨＳＹＮＣ…水平同期信号、
ＳＥＧ０〜ＳＥＧＲ…セグメント電極
【図１】
2012163897.tif 000003
【図２】
2012163897.tif 000004
【図３】
2012163897.tif 000005
【図４】
2012163897.tif 000006
【図５】
2012163897.tif 000007
【図６】
2012163897.tif 000008
【図７】
2012163897.tif 000009
【図８】
2012163897.tif 000010
【図９】
2012163897.tif 000011
【図１０】
2012163897.tif 000012
【図１１】
2012163897.tif 000013
【図１２】
2012163897.tif 000014
【図１３】
2012163897.tif 000015
【図１４】
2012163897.tif 000016
【図１５】
2012163897.tif 000017
【図１６】
2012163897.tif 000018
【図１７】
2012163897.tif 000019
【図１８】
2012163897.tif 000020
【図１９】
2012163897.tif 000021
【図２０】
2012163897.tif 000022
【図２１】
2012163897.tif 000023
【図２２】
2012163897.tif 000024
【図２３】
2012163897.tif 000025
【図２４】
2012163897.tif 000026
【図２５】
2012163897.tif 000027